(57)【要約】      （修正有）【課題】コンテナの一対のボトムパネルの開閉作業のときに、一々フックを吊り環に付け替える必要をなくし作業能率を著しく向上し、ロックハンドルを作業者が手動で操作するので確実にボトムパネルの開閉作業ができるようにした開閉自在なボトルパネル付きコンテナの提供。【解決手段】左サイドパネル及び右サイドパネルと前方パネル及び後方パネルとからなる箱形パネル本体を形成し、パネル本体を構成する前方パネル及び後方パネルの底部と、開閉可能な一対のボトムパネルの外側端部とをスプリング付ヒンジをもって接続し、箱形パネル本体の前方パネル又は後方パネルの下方部の外側方と左サイドパネル及び右サイドパネルの下方部の外側方に装着せしめたロック機構を動作せしめ、ロック機構を構成するロック部を回動操作して一対のボトムパネルを開閉せしめる。【選択図】図１
0003107280.tif 000002
【実用新案登録請求の範囲】
【請求項１】
左サイドパネル及び右サイドパネルと前方パネル及び後方パネルとからなる箱形パネル本体を形成し、前記パネル本体を構成する前記前方パネル及び後方パネルの底部と、開閉可能な一対のボトムパネルの外側端部とをスプリング付ヒンジをもって接続し、前記箱形パネル本体の前方パネル又は後方パネルの下方部の外側方と左サイドパネル及び右サイドパネルの下方部の外側方に装着せしめたロック機構を動作せしめ、前記ロック機構を構成するロック部を回動操作して一対の前記ボトムパネルを開閉せしめることを特徴とする開閉自在なボトムパネル付きコンテナ。
【請求項２】
前記前方パネル又は後方パネルの下方部の外側方に装着するロック機構を、前記ロック機構を構成する中央連結杆の中心部を前記前方パネル又は後方パネルに傾斜状にピンを介して前記前方パネル又は後方パネルに平行状に枢着し、且前記連結杆の下方部に前方連結杆の後方端部を、上方部に後方連結杆の前方端部をピンを介して夫々接続し、前記前方連結杆の前方端部に、開閉自在なロック部と固着する接続杆を回動操作する前方操作杆を固着し、前記後方連結杆の後方端部をロックハンドルに接続し、前記ロックハンドルの下方部に、開閉自在なロック部と固着する接続杆を左サイドパネル及び右サイドパネルの下方部に並列状に固着したことを特徴とする請求項１記載の開閉自在なボトムパネル付きコンテナ。
【請求項３】
前記一対のボトムパネルの中、スプリング付ヒンジを取着した端縁部のフレーム以外のボトムパネルを構成するフレームに、前記ロック部の出入が容易な切欠部を夫々形成することを特徴とする請求項１又は請求項２記載の開閉自在なボトムパネル付きコンテナ。
【請求項４】
前記前方パネル又は後方パネルに固定フックを取着し、前記固定フックを前記ロック機構を構成する後方連結杆に引掛けたり、外したりすることを特徴とする請求項１又は請求項２又は請求項３記載の開閉自在なボトムパネル付きコンテナ。
【考案の詳細な説明】
【技術分野】
【０００１】
本考案は、開閉自在なボトムパネル付きコンテナの分野に関するものである。
【背景技術】
【０００２】
従来開閉自在な一対のボトムパネルとしては、特許第３３２１１４５号（発明の名称・底開き式コンテナ）がある。
【０００３】
前記特許には、コンテナのボトムパネルを開閉させる開閉制御機構４が開示されているが、前記コンテナは内容物を排出させるときは、コンテナを吊り上げているときは、移動や吊り下ろしなどを行っても底板が開くことはない。しかし一旦地上に下ろし、クレーンのフックをもう一方の吊り孔３１ｂに付け替えて吊り上げることによって、底板が開き、内容物を排出させるものである。そして放荷後、再び空荷でコンテナを着地させ、フックを付け替えると再度底板を閉じたままで荷役作業ができるものである。
【特許文献１】特許第３３２１１４５号特許公報
【考案の開示】
【考案が解決しようとする課題】
【０００４】
前記従来のコンテナのボトムパネルを開閉させる開閉制御機構は、内容物を放荷するのに、フックを吊り替えコンテナを吊り上げないと、底板を開放させることができない機構であった。
【０００５】
さらに内容物の放荷後底板を閉じるときは、コンテナを着地させ、フックを付け替えコンテナを吊り上げ、底板を閉じたままで荷役作業ができる機構であった。
【０００６】
しかるに本考案の目的は、コンテナの一対のボトムパネルの開閉作業のときに、一々フックを吊り環に付け替える必要をなくし作業能率を著しく向上せしめた。
【０００７】
さらに本考案は、ロックハンドルを作業者が手動で操作するので確実にボトムパネルの開閉作業ができるようにした。
【０００８】
また本考案は、前記ロックハンドルと接着する複数のロック部の開閉を確実に処理できるようにした。
【０００９】
さらに本考案は、コンテナのボトムパネルの開閉作業時にコンテナを傾斜させたりしないので、コンテナの損傷を少なくし、製品寿命を延命にした。
【課題を解決するための手段】
【００１０】
上記課題を解決するための手段として、請求項１記載の考案に係る開閉自在なボトムパネル付きコンテナは、左サイドパネル及び右サイドパネルと前方パネル及び後方パネルとからなる箱形パネル本体を形成し、前記パネル本体を構成する前記前方パネル及び後方パネルの底部と、開閉可能な一対のボトムパネルの外側端部とをスプリング付ヒンジをもって接続し、前記箱形パネル本体の前方パネル又は後方パネルの下方部の外側方と左サイドパネル及び右サイドパネルの下方部の外側方に装着せしめたロック機構を動作せしめ、前記ロック機構を構成するロック部を回動操作して一対の前記ボトムパネルを開閉せしめることを特徴とする。
【００１１】
請求項２記載の考案に係る開閉自在なボトムパネル付きコンテナは、前記前方パネル又は後方パネルの下方部の外側方に装着するロック機構を、前記ロック機構を構成する中央連結杆の中心部を前記前方パネル又は後方パネルに傾斜状にピンを介して前記前方パネル又は後方パネルに平行状に枢着し、且前記連結杆の下方部に前方連結杆の後方端部を、上方部に後方連結杆の前方端部をピンを介して夫々接続し、前記前方連結杆の前方端部に、開閉自在なロック部と固着する接続杆を回動操作する前方操作杆を固着し、前記後方連結杆の後方端部をロックハンドルに接続し、前記ロックハンドルの下方部に、開閉自在なロック部と固着する接続杆を左サイドパネル及び右サイドパネルの下方部に並列状に固着したことを特徴とする。
【００１２】
請求項３記載の考案に係る開閉自在なボトムパネル付きコンテナは、前記一対のボトムパネルの中、スプリング付ヒンジを取着した端縁部のフレーム以外のボトムパネルを構成するフレームに、前記ロック部の出入が容易な切欠部を夫々形成することを特徴とする。
【００１３】
請求項４記載の考案に係る開閉自在なボトムパネル付きコンテナは、前記前方パネル又は後方パネルに固定フックを取着し、前記固定フックを前記ロック機構を構成する後方連結杆に引掛けたり、外したりすることを特徴とする。
【考案の効果】
【００１４】
請求項１記載の開閉自在なボトムパネル付きコンテナは、左サイドパネル及び右サイドパネルと前方パネル及び後方パネルとからなる箱形パネル本体を形成し、前記パネル本体を構成する前記前方パネル及び後方パネルの底部と、開閉可能な一対のボトムパネルの外側端部とをスプリング付ヒンジをもって接続し、前記箱形パネル本体の前方パネル又は後方パネルの下方部の外側方と左サイドパネル及び右サイドパネルの下方部の外側方に装着せしめたロック機構を動作せしめ、前記ロック機構を構成するロック部を回動操作して一対の前記ボトムパネルを開閉せしめる開閉自在なボトムパネル付きコンテナなので、ボトムパネルを開閉するのに、吊り環へのフックの付け替え作業を不要にして、作業能率を著しく高めた。
【００１５】
さらに本考案は、ボトムパネルの開閉作業を手動で簡単且確実に処理できるようにした。
【００１６】
また本考案は、ボトムパネルの開閉をするのにフックの付け替え作業をなくしてコンテナが傾斜するようなことがないので、コンテナを損傷させたりしない。そのため製品の寿命を延命せしめた。
【００１７】
請求項２記載の開閉自在なボトムパネル付きコンテナは、前記前方パネル又は後方パネルの下方部の外側方に装着するロック機構を、前記ロック機構を構成する中央連結杆の中心部を前記前方パネル又は後方パネルに傾斜状にピンを介して前記前方パネル又は後方パネルに平行状に枢着し、且前記連結杆の下方部に前方連結杆の後方端部を、上方部に後方連結杆の前方端部をピンを介して夫々接続し、前記前方連結杆の前方端部に、開閉自在なロック部と固着する接続杆を回動操作する前方操作杆を固着し、前記後方連結杆の後方端部をロックハンドルに接続し、前記ロックハンドルの下方部に、開閉自在なロック部と固着する接続杆を左サイドパネル及び右サイドパネルの下方部に並列状に固着した開閉自在なボトムパネル付きコンテナなので、請求項１記載の考案と同じ効果を有する。
【００１８】
請求項３記載の開閉自在なボトムパネル付きコンテナは、前記一対のボトムパネルの中、スプリング付ヒンジを取着した端縁部のフレーム以外のボトムパネルを構成するフレームに、前記ロック部の出入が容易な切欠部を夫々形成する開閉自在なボトムパネル付きコンテナなので、請求項１又は請求項２記載の考案と同じ効果を有している。
【００１９】
請求項４記載の開閉自在なボトムパネル付きコンテナは、前記前方パネル又は後方パネルに固定フックを取着し、前記固定フックを前記ロック機構を構成する後方連結杆に引掛けたり、外したりする開閉自在なボトムパネル付きコンテナなので、請求項１又は請求項２又は請求項３記載の考案と同じ効果を有している。
【考案を実施するための最良の形態】
【００２０】
本考案の開閉自在なボトムパネル付きコンテナは、内容物を放荷するとき、手動でロック部を解除して一対のボトムパネルを開放し、内容物を放荷した後、前記一対のボトムパネルをロック部で閉じるときも手動で操作を行うために供される。
【００２１】
以下、本考案を実施するための最良の形態を図面にしたがって説明する。なお請求項１〜４記載の考案の実施の形態は共通しているので一括して説明する。
【００２２】
図面においてａは箱形パネル本体であり、以下の構成からなっている。
【００２３】
１は左サイドパネル、２は右サイドパネルであり、垂直状にして、且対向状になっている。３は前方パネル３、４は後方パネルであり、垂直状にして、且対向状になっている。
【００２４】
上記４枚のパネル１、２、３、４は図１に図示するように箱形にして、各パネルを接着する。
【００２５】
以上が箱形パネル本体ａの構成であり、上方部は開口状となっている。
【００２６】
５は前記各４枚のパネル１、２、３、４の下方部に同じ高さで且外側方に突設した下方底板であり、前記パネル１、２、３、４を補強する。
【００２７】
前記箱形パネル本体ａを構成している前方パネル３と後方パネル４の底部と、一対の前方ボトムパネル６及び後方ボトムパネル７とを以下のように開閉可能にして取着する。
【００２８】
前記前方パネル３及び後方パネル４の底部と、前記ボトムパネル６、７の中、前方パネル６と後方パネル７寄りの外側端部とを、スプリング付ヒンジ８をもって接続する。前記両パネル６、７はスプリング付ヒンジ８を基点にして開閉する。
【００２９】
前記両ボトムパネル６、７は、前記スプリング付ヒンジ８を取着した外側端部と反対側面部のボトムパネル６、７の内側端部が対向状となっている。
【００３０】
前記スプリング付ヒンジ８は、図面上一側方に４個宛使用するが限定しない。
【００３１】
そして、前記スプリング付ヒンジ８を取着した外側端部及び対向する反対側面部以外の両ボトムパネル６、７の夫々の外側端部には、ボトムフレーム２１、２２を夫々設け、且前記ボトムフレーム２１、２２の前記両ボトムパネル６、７の対向部と前記対向部より若干内側方に切込み状の切欠部２３、２４を夫々設ける。前記ボトムフレーム２１、２２は図面上４個所である。
【００３２】
前記切欠部２３、２４は、ロック部９、１０を構成する爪部９ａ、１０ａが出入可能である。
【００３３】
ｂは前記一対のボトムパネル６、７の開閉を操作するためのロック機構であり、以下の構成からなる。
【００３４】
前記ロック機構ｂは、前方パネル３の下方部の稍中央部にして、且前記下方底板５の上方部に、中央連結杆１１の中心部をピン１２を介して傾斜状にして、且前方パネル３の外側面と平行状に枢着する。前記傾斜は右傾斜状とする。
【００３５】
前記中央連結杆１１の下方部と前方連結杆１３の後方端部とをピン１４ａを介して前方パネル３の外側面と平行状に接続する。
【００３６】
前記中央連結杆１１の上方部と後方連結杆１５の前方端部とを、ピン１４を介して前方パネル３の外側面と平行状に接続する。
【００３７】
前記前方連結杆１３の前方端部と前方操作杆１７の上方部とを接続ピン１８を介して接続する。
【００３８】
前記後方連結杆１５の前方端部と前記中央連結杆１１の上方端部とをピン１４ａを介して接続し、後方連結杆１５の後方端部をロックハンドル１９にピン２０を介して接続する。さらに前記ロックハンドル１９の下方部に、ロック部９、１０と固着する接続杆１６を固着する。さらに前記前方操作杆１７の下方部にも、ロック部９、１０と固着する接続杆１６を固着する。
【００３９】
前記両接続杆１６、１６は図４、５、６に図示されているように、両ボトムパネル６、７の上方部に両ボトムパネル６、７と並列状に装着されている。
【００４０】
前記両接続杆１６、１６は以下に説明する支持部材によって支持されている。さらにロック部９、１０と両接続杆１６、１６と支持部材とは以下のように相互に密接な関係を有している。
【００４１】
前記左サイドパネル１及び右サイドパネル２の下方底部の下方に取着する前記両ボトムパネル６、７の外周部に取着しているボトムフレーム２１、２２の対向する対向面より、若干内側寄りに切欠する切欠部２３、２４を夫々形成する。これら切欠部２３、２４には、ロック部９、１０の爪部９ａ、１０ａが出入する。
【００４２】
そして前記下方底部５とボトムパネル６、７との間に所定間隔を設けて接続杆１６を貫通する孔部６ｂ、７ｂを有する支持板６ａ、７ａを垂直状に立設する。図５に示すように前記支持板６ａは、前方ボトムパネル６寄りに、支持板７ａは後方ボトムパネル７寄りに夫々立設している。
【００４３】
６ｃは前記両ボトムパネル６、７の対向する内側面に介在し、上端部は下方底部５と接続し、且接続杆１６を貫通する孔部６ｄを有する中央支持板であって、前記支持板６ａ、７ａと平行状に立設する。
【００４４】
前記接続杆１６、１６は、図１、２、４、５、６のように接続杆１６、１６の一端部を前方操作杆１７とロックハンドル１９に固着し、他方は各支持部６ａ、６ｃ、７ａの各孔部６ｂ、６ｄ、７ｂに貫通する。さらにロック部９、１０を支持部６ａ、６ｃと、中央支持部６ｃと支持部７ａとの間の前記接続杆１６、１６にロック部９、１０の頭部を接続杆１６、１６と一体にして固着する。
【００４５】
以上がロック機構ｂの具体的構成であり動作は以下のとおりである。
【００４６】
ロックハンドル１９を前方操作杆１７寄りに押すと、ロックしていたロック部９、１０が図５から図６の状態にロック状態が解除される。即ちロックハンドル１９を押したり、引いたりすると、ロックハンドル１９の回転角度部分だけ前記接続杆１６、１６とロック部９、１０が回動する。
【００４７】
２５は両ボトムパネル６、７の底面に取着する脚部である。２６は箱形パネル本体ａを構成する各パネル１、２、３、４の交叉する上面部に設けた吊り環である。
【００４８】
２７は下方底部５の上面に設けた端部がピン２８を介して回動するハンドル固定フックである。
【００４９】
つぎにコンテナを構成するボトムパネル６、７を開放するには下記のように操作する。
【００５０】
コンテナを平床に脚部２５を着地した状態で、ハンドル固定フック２７を後方杆１５に掛けた後、ロックハンドル１９を前方接続杆１３の方向に若干傾倒させる。傾倒と同時に前方連結杆１３と後方連結杆１５と前方操作杆１７と接続杆１６、１６等が若干回動する。前記回動と同時に前記両接続杆１６、１６に固着するロック部９、１０の爪部９ａ、１０ａが切欠部２３、２４から外側方に回動し、ロック状態を解除する。その際ロックが解除したことを必ず確認する。その後コンテナを上方に吊り上げる。この吊り上げによって、ロック部９、１０の解除によって前記両ボトムパネル６、７は、図４のように傾斜状に解放し、内容物が放出される（図４）。
【００５１】
前記と反対にボトムパネル６、７を閉じる作業をするときは、コンテナを平床に置いて脚部２５を着地させた状態で、前記ハンドル固定フック２７を前記後方連結杆１５から外してやる。その後ロックハンドル１９を図１、２の垂直状態に起立すると、一体となっている接続杆１６、１６とロック部９、１０が図６の状態から図２、５に図示されているようにボトムパネル６、７をロックする。
【００５２】
前記のようにロック部９、１０によってロックされたことを目視で確認した後、コンテナを各吊り環２６、２６、２６、２６に吊り用ロープのフックを引掛け所定の場所に移動する。
【００５３】
さらに本考案は、支持板６ａ、６ｃ、７ａを設け、接続杆１６、１６及びロック部９、１０がロックハンドル１９と一体となって回動しても、前記接続杆１６、１６を確実に支持している。そのため両ボトムパネル６、７をロックしたり、あるいは解放したりするロック部９、１０は確実に補強される。
【図面の簡単な説明】
【００５４】
【図１】本考案開閉自在なボトムパネル付きコンテナの斜視図である。
【００５５】
【図２】同コンテナの正面図である。
【００５６】
【図３】同コンテナの平面図である。
【００５７】
【図４】同コンテナのボトムパネルが開放された状態の正面図である。
【００５８】
【図５】同コンテナの要部のロック部がボトムパネルの底部を閉止している状態の一部切欠拡大斜視図である。
【００５９】
【図６】同コンテナにおけるロック部がボトムパネルを閉止した状態から展開した状態の一部切欠拡大斜視図である。
【符号の説明】
【００６０】
ａ      箱形パネル本体
ｂ      開閉機構
１      左サイドパネル
２      右サイドパネル
３      前方パネル
４      後方パネル
５      下方底部
６      前方ボトムパネル
６ａ    支持部
６ｂ    孔部
６ｃ    中央支持部
６ｄ    孔部
７      後方ボトムパネル
７ａ    支持部
７ｂ    孔部
８      スプリング付ヒンジ
９      ロック部
９ａ    爪部
９ｂ    孔部
１０    ロック部
１０ａ  爪部
１０ｂ  孔部
１１    連結杆
１２    ピン
１３    前方連結杆
１４    ピン
１４ａ  ピン
１５    後方連結杆
１６    接続杆
１７    操作杆
１８    ピン
１９    ロックハンドル
２０    ピン
２１    ボトムフレーム
２２    ボトムフレーム
２３    切欠部
２４    切欠部
２５    脚部
２６    吊り環
２７    フック
２８    ピン
【図１】
0003107280.tif 000003
【図２】
0003107280.tif 000004
【図３】
0003107280.tif 000005
【図４】
0003107280.tif 000006
【図５】
0003107280.tif 000007
【図６】
0003107280.tif 000008